(57)【要約】【課題】種いもの蒔き付け作業のみを直接手で行うだけでよく、畝立、施肥、覆土等も行えて、種いもの植え付けに必要な作業を連続して一貫処理でき、走行の安定性と直進性を確保し易く、蒔き付け作業に専念できて、労力的負担の軽減と植え付け能率の向上を達成でき、コンパクトで安価なものにする。【解決手段】車体２に走行体７をクローラ式にして設置し、車体２の前部に走行駆動用エンジン９とトランスミッション１０を設置して、車体２の中央付近より後部に種いも蒔付用開口部６を設け、車体２の左右中央付近に畝立用培土器２６を支持して、種いも蒔付用開口部６に臨ませて設置し、車体２の中央部に放出管２０付き肥料タンク２１を設置して、肥料放出管２０の口を畝立用培土器２６の近くに配置し、車体２の後部に運転席３１を設置し、更に後部に車体２の左右中央付近で支持する覆土器３２を設置する。【選択図】        図１
2006006147.tif 000002
【特許請求の範囲】
【請求項１】
車体に、走行駆動用エンジンと、走行体と、その走行駆動用エンジンから走行体に駆動力を伝えるトランスミッションを設置し、種いも蒔付用開口部を設け、更にその車体の種いも蒔付用開口部の付近に運転席を設けた自走式一人乗用型種いも植付機であって、上記車体の左右外側近傍に走行体をクローラ式にして夫々設置し、その車体の前部に走行駆動用エンジンとトランスミッションを設置して、その車体の中央付近より後部に亘って上下方向に貫通する広い種いも蒔付用開口部を設け、その車体の左右中央付近に畝立用培土器を支持して、その畝立用培土器を種いも蒔付用開口部に臨ませて設置し、その車体の中央部に放出管付きの肥料タンクを設置して、その肥料放出管の口を畝立用培土器の近くに配置し、その車体の後部に運転席を設置し、更にその後部に車体の左右中央付近で支持する覆土器を設置することを特徴とする自走式一人乗用型種いも植付機。
【請求項２】
車体の種いも蒔付用開口部の左右縁部付近に、畝立用培土器で起された土石が左右クローラ式走行体へ侵入するのを防止する土石侵入防止部材を夫々設置することを特徴とする請求項１記載の自走式一人乗用型種いも植付機。
【請求項３】
車体の種いも蒔付用開口部付近に、走行駆動用エンジンの出力を調節するエンジン出力調節レバーと、その走行駆動用エンジンからトランスミッションへ伝える駆動力の入り切りの単独操作、及びその駆動力の入り切りと肥料タンクの吐出口の開閉との連動操作の一方を選択できる主クラッチレバーと、そのトランスミッションから左右クローラ式走行体に伝える駆動力を正逆回転方向に切り替える前後進切替レバーと、そのトランスミッションから左右の各クローラ式走行体への駆動力の伝達を夫々入り切り操作する左右サイドクラッチレバーと、植え付け用種いもを置く種いも置台を設置することを特徴とする請求項１又は２記載の自走式一人乗用型種いも植付機。
【発明の詳細な説明】
【技術分野】
【０００１】
本発明は各種の根菜類、球根類等の種いもを植え付ける自走式一人乗用型種いも植付機に関する。
【背景技術】
【０００２】
従来、各種の根菜類、球根類等を食用或いは観賞用の作物として栽培している。これ等の球根菜類ではいずれも地中にある根、茎、葉等に養分が蓄えられ、そこが球状又は塊状に生長する。それ故、球状又は塊状部分を地中から掘り上げて収穫する。又、栽培のためには地中から掘り上げた球状又は塊状部分を種いもとして再度植え付ける必要がある。そして、栽培面積が広い場合等には労力負担の軽減と植え付け効率の向上を考慮して、種いも植え付け用の機械を使用する。
【０００３】
このような球根菜類用種いもの植付機は通常トラクター牽引式にし、その車輪を設けた本体枠に、種いも植え付け用の溝を形成し、その溝に沿って土を盛る畝立用培土器、蒔き付けた種いもに土を被せる覆土器等を備え付け、更に種いもの補給路を形成するため、植え付け用の種いもを収容するすくいホッパー、すくい上げた種いもを搬送するスプーンベルト、搬送されてきた種いもを溝に蒔き付ける投入筒等を設置して用いている。又、球根菜類用種いもの植え付けを行なえる自走式一人乗用型農作業機として、走行用駆動車輪を有する車体に運転席を設置し、その車体の運転席の前側に車体を構成する部材で仕切って広く成形した農作業用開口部を設け、更にその農作業用開口部の前側に走行車輪を有する足乗せ部材付き方向舵を設置し、その足乗せ部材を農作業用開口部内に臨ませたものが提示されている。
【特許文献１】特許第２６７８３５３号
【特許文献２】特許第２５４２３３１号
【発明の開示】
【発明が解決しようとする課題】
【０００４】
しかしながら、球根菜類用種いも植付機を牽引式にすると、トラクターと連結して使用しなければならず、全体が大型化する。しかも、乗用型トラクターは高価である。この点歩行型トラクターは安価であるが乗用できず、走行の直進性を保つためには絶えずハンドル操作をする必要があり、植え付けに必要な労力的負担が大きい。
【０００５】
又、このような植付機で植え付ける種いもの形状は種々であり、大きさも異なっている。それ故、すくい筒の内部に２個以上の種いもが落下して横並びに入り込み、時にはきつく挟まってしまい、スプーンですくい上げられなくなり、ベルトが回らなくなることがある。尤も、丸形状の種いもは問題が少ないが、じゃがいものように１つの種いもを２つ以上に切断して用いる場合に問題が発生し易い。その際、植付機を止めてベルトを反対方向に少し回してスプーンを下方に移動し、棒の先で突く等してすくい筒の内部から種いもを取り除かなければならない。なお、棒の先で突いたりすると当然種いもは傷つくし、すくい筒の内部にきつく挟まったものをたとえスプーンがすくい上げたとしても無理な力が加わるため、種いもに傷が付き易い。
【０００６】
一方、自走式一人乗用型農作業機では運転席に腰掛け、足を足乗せ部材に乗せ、その足で方向舵を操作して舵取りしながら走行させる。そして、前側に広く開いている車体の農作業用開口部を通して両足の間から直接手で種いもを蒔き付け、更に覆土をして植え付けを行うので、牽引式の植付機のように補給路に種いもがきつく挟まって植え付けが行えなくなることや種いもに傷を付けることがない。しかも、製品が安価なため、中規模農家で老人が一人で農作業に従事しなければならないような現在の農業状況にも対応できる。
【０００７】
しかし、蒔き付けや覆土以外の植え付けに必要な畝立、施肥等の作業は別個に行なわなければならない。しかも、種いもの蒔き付け、覆土の作業をしながら、足で方向舵を操作して舵取りすることによって走行の直進性を保たなければならないので、特に不整地では植え付け時の労力的負担が大きい。
【０００８】
本発明はこのような従来の問題点に着目してなされたものであり、種いもの蒔き付け作業のみを直接手で行うだけでよく、畝立、施肥、覆土等も行えて、種いもの植え付けに必要な作業を連続して一貫処理でき、走行の安定性と直進性を確保し易く、蒔き付け作業に専念できて、労力的負担の軽減と植え付け能率の向上を達成できる、コンパクトで安価な自走式一人乗用型種いも植付機を提供することを目的とする。
【課題を解決するための手段】
【０００９】
上記目的を達成するために、本発明による自走式一人乗用型種いも植付機は車体に、走行駆動用エンジンと、走行体と、その走行駆動用エンジンから走行体に駆動力を伝えるトランスミッションを設置し、種いも蒔付用開口部を設け、更にその車体の種いも蒔付用開口部の付近に運転席を設ける。
【００１０】
そして、上記車体の左右外側近傍に走行体をクローラ式にして夫々設置し、その車体の前部に走行駆動用エンジンとトランスミッションを設置して、その車体の中央付近より後部に亘って上下に貫通する広い種いも蒔付用開口部を設け、その車体の左右中央付近で畝立用培土器を支持して、その畝立用培土器を種いも蒔付用開口部に臨ませて設置し、その車体の中央部に放出管付きの肥料タンクを設置して、その肥料放出管の口を畝立用培土器の近くに配置し、その車体の後部に運転席を設置し、更にその後部に車体の左右中央付近で支持する覆土器を設置する。
【００１１】
又、上記車体の種いも蒔付用開口部の左右縁部付近に、畝立用培土器で起された土石が左右クローラ式走行体へ侵入するのを防止する土石侵入防止部材を夫々設置すると好ましくなる。
【００１２】
又、上記車体の種いも蒔付用開口部付近に、走行駆動用エンジンの出力を調節するエンジン出力調節レバーと、その走行駆動用エンジンからトランスミッションへ伝える駆動力の入り切りの単独操作、及びその駆動力の入り切りと肥料タンクの吐出口の開閉との連動操作の一方を選択できる主クラッチレバーと、そのトランスミッションから左右クローラ式走行体に伝える駆動力を正逆回転方向に切り替える前後進切替レバーと、そのトランスミッションから左右の各クローラ式走行体への駆動力の伝達を夫々入り切り操作する左右サイドクラッチレバーと、植え付け用種いもを置く種いも置台を設置するとよい。
【発明の効果】
【００１３】
本発明の自走式一人乗用型種いも植付機は、車体の左右外側近傍に走行体をクローラ式にして夫々設置し、その車体の前部に走行駆動用エンジンとトランスミッションを設置して、車体の後部に運転席を設置することにより、その運転席に作業者が腰掛けると、車体の前後で重量バランスを取ることができ、車体の左右外側近傍にクローラ式走行体が夫々配置されているので、走行の安定性と直進性を確保することができる。このため、一度植付機の走行方向を設定すると、走行途中で手による走行方向の修正操作をあまり必要とせず、開口部を通じて行う種いもの蒔き付け作業に専念できる。
【００１４】
又、種いも蒔き付け作業のみを直接手で行うだけでよく、その蒔き付け直前に培土器で畝立をし、放出管付き肥料タンクからその畝付近に肥料を施し、蒔き付けた種いもに覆土器で覆土をすることにより、種いもの植え付けに必要な作業を連続して一貫処理できる。それ故、労力的負担を軽減できて、植え付け能率を向上できる。しかも、植付機をコンパクトにして取り扱い易く、安価にできる。
【００１５】
そして、車体の種いも蒔付用開口部の左右縁部付近に、土石侵入防止部材を夫々設置することにより、その種いも蒔付用開口部に臨む畝立用培土器で起された土石が左右クローラ式走行体へ侵入するのを防止できるので、円滑な走行を行える。
【００１６】
又、車体の種いも蒔付用開口部付近に、エンジン出力調節レバー、主クラッチレバー、前後進切替レバー、左右サイドクラッチレバー、種いも置台を設置することにより、必要なレバーを簡単に操作できて、植付機の走行、停止と走行方向の選択を適宜決定し、種いも置台から種いもを手に取って開口部を通じ畝の溝内へ簡単に蒔き付けできる。しかも、主クラッチレバーの操作によって、種いも蒔き付け時に肥料タンクから肥料を施し、走行方向転回時にその施肥を停止できるため、好都合となる。
【発明を実施するための最良の形態】
【００１７】
以下、添付の図１、２を参照して、本発明の実施の最良形態を説明する。
図１は本発明を適用した自走式一人乗用型種いも植付機の概略平面図、図２はその概略斜視図である。この自走式一人乗用型種いも植付機はその車体２として、前後に長い長方形状の枠を上側に配置して主枠３にし、その主枠３の下側に重なるように走行体支持枠４を配置して一体に結合し、更にそれ等の枠３、４に対し桟や補助枠を結合して概略箱形状の骨格を形成して用いる。しかも、その車体２には中央より後部に亘る部分に、主枠３の左右枠部材３ｂ、３ｄと、それ等の下側に夫々平行に配設された走行体支持枠４の左右枠部材に掛け渡して結合した中央桟５と、主枠３の後枠部材３ｃとで仕切った上下に貫通する広い開口部６を設けておく。すると、その開口部６を通じて種いもの蒔き付けを行うことができる。
【００１８】
このような車体２に対し、その左右外側近傍に走行体７（７ａ、７ｂ）をクローラ式にし、その各クローラ式走行体７の長さを車体２を構成する主枠３の長さとほぼ等しくし、その主枠３の前側に少し突出するようにして主枠３に沿わせて夫々設置する。そして、車体２の前部上に燃料タンク８付きの走行駆動用エンジン９を設置し、そのエンジン９の近傍前側の少し下方にトランスミッション１０を設置する。その際、例えば走行駆動用エンジン９に３馬力のガソリンエンジンを用い、トランスミッション１０に前進２段、後進１段の速度切替、前後進切替を行えるものを用いる。
【００１９】
すると、エンジン９で発生した回転動力をプーリ１１、１２、Ｖベルト１３等を介してトランスミッション１０に伝えて、主枠３の前枠部材３ａの下方に配設した左右のクローラ式走行体７の前回動軸１４に伝達でき、更にその前回動軸１４の両端部に備え付けられているベルト駆動用前輪１５（１５ａ、１５ｂ）によって、左右のクローラベルト１６（１６ａ、１６ｂ）に夫々伝達できる。そして、後回動軸は左右の各軸１７（１７ａ、１７ｂ）に分けて、主枠３の後枠部材３ｃ寄りの下方近くに配設し、その両軸１７に備え付けたベルト支持用後輪１８（１８ａ、１８ｂ）によって、左右のクローラベルト１６を夫々支える。しかし、後回動軸１７には駆動力は伝達されない。なお、１９（１９ａ、…１９ｄ）は前後輪１５、１８間に配設したベルト支持用の補助輪である。
【００２０】
又、車体２の中央桟５より少し前側の中央部上に放出管２０付きの肥料タンク２１を設置する。この放出管２０付きの肥料タンク２１として、最上部に肥料投入用の広い開口を有し、その開口を開閉する上蓋２２を備え、内部を肥料収容部にし、下部周壁を順次下方に行く程狭めて最下部付近に吐出口を設けたものを用いる。そして、その最下部に吐出口の開度を調節する吐出口開度調節バルブ２３を備え、更に肥料放出管２４を連結する。この吐出口開度調節バルブ２３は最下部の壁部に設けた雌ねじに螺合する雄ねじの外端部に、ハンドル２５を備え付け、その雄ねじの内端部に、タンク２１の吐出口より小さな吐出穴付き調節板を、タンク２１の吐出口を仕切るように配置して固着したハンドル付き開度設定部２５と、その調節板の下側に重なり、その吐出穴を全部閉鎖するように常時スプリングから付勢力を受けるスライド式蓋板とから構成する。
【００２１】
又、車体２の例えば中央桟５の左右中央付近に畝立用培土器２６を支持して、その培土器２６を種いも蒔付用開口部６に臨ませて設置する。この畝立用培土器２６として、両前端を閉じて結合し、両後端を開いた２枚の板体からなるＶ形状犂２７と、その犂２７の前端部内側に下部を結合し、それより上側に複数例えば４個の止め穴を配設した溝深さ調節棒２８との結合体を用いる。
【００２２】
又、その畝立用培土器２６の装着脱と支持位置を変えられる支持装置２９として、中央桟５の左右中央付近に、溝深さ調節棒２８が嵌まる垂直貫通穴と、その溝深さ調節棒２８に設けた任意の止め穴に嵌まるハンドル付きねじ３０を備えた箱形体を設置する。なお、犂２７の両板体の下端を水平にし、溝深さ調節棒２８を垂直に配置する。
【００２３】
このようにして、溝深さ調節棒２８の支持位置を左右クローラ式走行体７の前後中央より少し後方に配置すると、車体２により犂２７が引き摺られるので、畝立を円滑に行える。そして、その犂２７の前端付近を除く大部分を種いも蒔付用開口部６の前部空間領域内に臨ませると、その中央部空間領域の左右中央付近に良好な畝立を行える。又、その犂２７の例えば左後端付近に肥料放出管２０の口を配置しておくと、順次形成される畝の盛り土内に肥料を良く混入させて施すことができる。
【００２４】
又、車体２の後部中央付近に運転席３１を設け、その運転席３１を種いも蒔付用開口部６に臨ませる。又、車体２の後部例えばその後部端を形成する主枠３の後枠部材３ｃの左右中央付近に、畝の盛り土をならして、溝に蒔き付けた種いもに土を被せる覆土器３２を取り付ける。この覆土器３２として、両前端を大きく開き、両後端を結合した２枚の板体からなるＶ形状ならし３３と、そのならし３３の後端部内側に下部を結合し、それより上側に複数例えば３個の止め穴を配設したならし位置調節棒３４との結合体を用いる。
【００２５】
又、その覆土器３２の装着脱と支持位置を変えられる支持装置３５として、主枠３の後枠部材３ｃの左右中央付近に、ならし位置調節棒３４が嵌まる垂直貫通穴と、そのならし位置調節棒３４に設けた任意の止め穴に嵌まるハンドル付きねじ３６を備えた箱形体を設置する。そして、ならし３３の両板体の下端を前端側より後端側が少し上がるように傾斜させ、ならし位置調節棒３４を垂直に配置する。すると、ならしの途中で走行の障害となる石がでて、ごみの塊等ができても両板体の後端部が前端部より上がってくぐり易くなっているので、それ等がならし３３の中央部に集まり、後方に抜けて行く。なお、走行体支持枠４には後枠部材に相当するものを設けない。
【００２６】
又、車体２の種いも蒔付用開口部６の付近に、走行駆動用エンジン９の出力を調節するエンジン出力調節レバー３７、その走行駆動用エンジン９からトランスミッション１０へ伝える駆動力の入り切りの単独操作、及びその駆動力の入り切りと肥料タンク２１の吐出口の開閉との連動操作の一方を選択できる主クラッチレバー３８、そのトランスミッション１０から左右クローラ式走行体７に伝える駆動力の正逆回転方向を切り替える前後進切替レバー３９、そのトランスミッション１０から左右の各クローラ式走行体７への駆動力の伝達を夫々入り切り操作する左右サイドクラッチレバー４０、４１等の各操作レバーを設置する。
【００２７】
その際、使用頻度の高い操作用レバーを運転席３１の近くに設置するため、エンジン出力調節レバー３７と主クラッチレバー３８は種いも蒔付用開口部６を形成する左右縁部（主枠３の左右枠部材３ｂ、３ｄの一部）の運転席３１近くの内側に夫々配設し、左右サイドクラッチレバー４０、４１はその左右縁部の運転席３１近くの外側に夫々配設する。しかし、前後進切替レバー３９はその右縁部の中央桟５近くの内側に設置する。
【００２８】
そして、エンジン出力調節レバー３７と走行駆動用エンジン９との間、主クラッチレバー３８とＶベルト１３を張ったり、緩めたりするクラッチテンション４２との間、及び肥料タンク２１の吐出口開度調節バルブ２３のスライド式蓋板との間、左右サイドクラッチレバー４０、４１とトランスミッション１０との間を夫々ワイヤーで接続する。しかし、前後進切替レバー３９とトランスミッション１０との間はロッドで接続する。すると、運転席３１に腰掛けた作業者は必要なレバーを簡単に操作できて、植付機１の走行、停止と走行方向の選択、施肥等を適宜行える。
【００２９】
又、種いも蒔付用開口部６の左右縁部の前部付近から外側に向けて、種いもを収容したコンテナ等を乗せる種いも置台４３（４３ａ、４３ｂ）を夫々水平方向に大きく長方形状に張り出し、その左縁部付近又は右縁部付近を少し立ち上げて設ける。又、その左右縁部に対応する下側に配置した走行体支持枠４の左右枠部材の中央部付近から内側に向けて、作業者の足を乗せる足置台４４（４４ａ、４４ｂ）を夫々水平方向に小さく長方形状に張り出して夫々設ける。又、その走行体支持枠４の左右枠部材の内側に、畝立用培土器２６で起された土や石、ごみ等が左右クローラ式走行体７へ侵入するのを防止するため、土石侵入防止部材４５（４５ａ、４５ｂ）として、例えば長方形状板材をその板面が垂直方向となるようにして夫々配設する。
【００３０】
このような自走式一人乗用型種いも植付機１は作業者が乗車して、種いもの蒔き付け作業のみを直接手で行うだけでよく、その蒔き付け直前に培土器２６で畝立をし、放出管２０付き肥料タンク２１からその畝付近に肥料を施し、蒔き付けた種いもに覆土器３２で覆土をすることにより、種いもの植え付けに必要な作業を連続して一貫処理できる。しかも、例えば植付機１の寸法が左右クローラ式走行体７を設置した車体２の主要部分の長さが２ｍ、幅が０．７ｍ、全重量が２５０ｋｇとコンパクトにでき、製品の価格も安くなる。
【００３１】
種いも例えばじゃがいもを植え付ける場合、作業者が乗車して運転し、畑の端に植付機１を置いた後、植え付け作業を開始する。その際、作業者は運転席３１に腰掛け、両足を足置台４４に夫々乗せる。すると、前側に広く開いている車体２の蒔付用開口部６を通して両足の間から直接手でじゃがいもの蒔き付けを行える体勢になる。しかも、作業者が車体の後部に設けた運転席３１に腰掛けると、車体２の前部に燃料タンク８付き走行駆動用エンジン９とトランスミッション１０等が設置されているので、車体２の前後で重量バランスを取ることができ、車体２の左右外側近傍にクローラ式走行体７が配置されているので、走行の安定性と直進性を確保することができる。
【００３２】
そして、車体２の種いも蒔付用開口部６の左右縁部付近に、土石侵入防止部材４５を配設しておくと、走行時に畝立用培土器２６で起された土や石、ごみが左右クローラ式走行体７へ侵入せずに円滑な走行を行える。しかも、一度植付機１の走行方向を設定すると、走行途中で手による走行方向の修正操作をあまり必要としない。それ故、両方の手が空くので、左右の種いも置台４３から種いもを自在に手に取って開口部６を通じて畝の溝内へ簡単に蒔き付けできて、種いもの蒔き付け作業に専念できる。
【００３３】
このような植え付け走行時には、主クラッチレバー３８をその切替用ガイド部材４６の走行駆動用エンジン９からトランスミッション１０に伝える駆動力の入り切りと、肥料タンク２１の吐出口開閉との連動操作を行なえる一方の細長い案内穴の最奥部まで移動して置く。すると、走行駆動用エンジン９からトランスミッション１０へ駆動力が伝わって走行でき、更に肥料タンク２１に備えた吐出口開度調節バルブ２３の蓋板をスプリングの付勢力に抗して引くことによって、先に調節して肥料タンク２１の吐出口に臨む調節板の穴の大きさが設定されている吐出穴を開いて、肥料タンク２１から畝に肥料を施すことができる。
【００３４】
そして、種いもの蒔き付けを行いながら、畑の他端部に達したら植え付けを続けるため、植付機１を左又は右方向に転回しなければならない。そこで、先ず主クラッチレバー３８を切替用ガイド部材４６のニュートラルの位置に戻すと、走行駆動用エンジン９からトランスミッション１０に伝わる駆動力が切れ、施肥が停止する。次に、左又は右のサイドクラッチレバー４０、４１を引き、左又は右クローラ式走行体７の回転を止めた後、主クラッチレバー３８を他方の細長い案内穴の最奥部まで移動する。すると、植付機１を左又は右方向に回転できるので、植え付けの走行方向を設定した後、左又は右のサイドクラッチレバー４０、４１を戻すと、同様にして植え付けを行える。それ故、植付機１に乗車して、じゃがいもの植え付けを行うと、労力的負担を軽減できて、植え付け能率が向上する。
【図面の簡単な説明】
【００３５】
【図１】本発明を適用した自走式一人乗用型種いも植付機の概略平面図である。
【図２】同自走式一人乗用型種いも植付機の概略斜視図である。
【符号の説明】
【００３６】
１…自走式一人乗用型種いも植付機  ２…車体  ３…主枠  ４…走行体支持枠  ５…中央桟  ６…種いも蒔付用開口部  ７…クローラ式走行体  ８…燃料タンク  ９…走行駆動用エンジン  １０…トランスミッション  １１、１２…プーリ  １３…Ｖベルト  １４、１７…前後回動軸  １５、１８…ベルト駆動用前後輪  １６…クローラベルト  ２０…肥料放出管  ２１…肥料タンク  ２３…吐出口開度調節バルブ  ２５…ハンドル付き開度設定部  ２６…畝立用培土器  ２７…犂  ２９、３５…支持装置  ３１…運転席  ３２…覆土器  ３３…ならし  ３７…エンジン出力調節レバー  ３８…主クラッチレバー  ３９…前後進切替レバー  ４０、４１…左右サイドクラッチレバー  ４２…クラッチテンション  ４３…種いも置台  ４４…足置台  ４５…土石侵入防止部材  ４６…切替ガイド部材
【図１】
2006006147.tif 000003
【図２】
2006006147.tif 000004